【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
コンピュータネットワークを用いて、検索者からの検索要求に応答して、実質的にリアルタイムで検索結果リストを生成する方法であって、
所定の表示期間において、検索語に対する検索結果リストのランクをオークションにかけることを含む、前記所定の表示期間の前記検索結果リストをオークションにかけ、前記オークションが終了した後、落札者は、前記所定の表示期間の間、前記検索語に対する前記ランクを保証されること、
前記検索結果リストにおける特定のランクの前記落札者、前記検索語、及び前記所定の表示期間と関連する複数の検索リスト表示を含むデータベースを維持すること、及び、
前記所定の表示期間におけるそれぞれのランクにより順序付けられた検索リスト表示を含む前記検索結果リストを検索者にもたらすこと、
を含むことを特徴とする方法。
【請求項２】
前記ランクのオークションが、所定の時間の期間中、開いている請求項１に記載の方法。
【請求項３】
前記検索要求を前記検索者から受け取ることと、
前記検索結果リストを表示する前に、前記検査要求との適合をもたらす検索語を有する検索リスト表示を識別すること、
をさらに含む請求項１に記載の方法。
【請求項４】
前記識別された検索リスト表示を、特定のランクの落札者及び前記所定の表示期間により前記検索結果リストに順序付けること、
をさらに含む請求項３に記載の方法。
【請求項５】
前記検索リスト表示が、ネットワーク情報プロバイダのウェブサイトの説明を含む請求項１に記載の方法。
【請求項６】
前記検索リスト表示が、ネットワーク情報プロバイダのウェブサイトに対応するユニフォーム・リソース・ロケータ（ＵＲＬ）を含む請求項１に記載の方法。
【請求項７】
前記所定の表示期間が日を含む請求項１に記載の方法。
【請求項８】
前記所定の表示期間が週を含む請求項１に記載の方法。
【請求項９】
前記所定の表示期間が月を含む請求項１に記載の方法。
【請求項１０】
前記所定の表示期間が１年の４分の１を含む請求項１に記載の方法。
【請求項１１】
ネットワーク情報プロバイダが入札するのを助ける入札ツールを与えることをさらに含む請求項１に記載の方法。
【請求項１２】
前記入札ツールが、入札するための前記ネットワーク情報プロバイダに対する見積もり値を計算する請求項１１に記載の方法。
【請求項１３】
前記ネットワーク情報プロバイダに対する計算された見積もり値により定められた検索語及び定められたランクの入札を受け入れること、
をさらに含む請求項１２に記載の方法。
【請求項１４】
前記計算が、前記ネットワーク情報プロバイダにより入力された値を考慮する請求項１２に記載の方法。
【請求項１５】
前記値が、予想されるインプレッション当たりの値、訪問の基準値、行われている第１の動作の値、又は行われている第２の動作の値のうちの少なくとも１つを含む請求項１４に記載の方法。
【請求項１６】
前記計算が、前記所定の表示期間における前記検索リスト表示の前記ランクに対する見積もられたクリック数を考慮する請求項１４に記載の方法。
【請求項１７】
最高ランクが最初にオークションにかけられる請求項１に記載の方法。
【請求項１８】
第２のオークションにおいて、第１のオークションの終了後に残っているランクをオークションにかけることをさらに含む請求項１に記載の方法。
【請求項１９】
前記ランクをオークションにかけることが、代替的な所定の表示期間においてオークションにかけることを含む請求項１８に記載の方法。
【請求項２０】
現在のオークションベースのランキング及び前記所定の表示期間と同じ長さの後続するオークションベースのランキングにおいて定められた検索語及び定められたランクの入札を受け入れること、
をさらに含む請求項１に記載の方法。
【請求項２１】
結果リストをコンピュータネットワーク上に表示する方法であって、
所定の表示期間において、選択された用語に対応する検索結果リストのランクをオークションにかけることを含む、前記所定の表示期間の前記結果リストをオークションにかけ、前記オークションが終了した後、前記所定の表示期間の間、落札者は、前記選択された用語に対する前記ランクを保証されることと、
前記選択された用語が、ユーザにより入力された用語と適合する場合には、前記結果リストの少なくとも一部をユーザに表示すること、
からなる方法。
【請求項２２】
前記ランクのオークションが、所定の時間の期間中、開いている請求項２１に記載の方法。
【請求項２３】
要求を前記ユーザから受け取ることと、
前記結果リストを表示する前に、前記要求との適合をもたらす用語を有するリスト表示を識別すること、
をさらに含む請求項２１に記載の方法。
【請求項２４】
前記識別されたリスト表示を、特定のランクの前記落札者及び前記所定の表示期間にしたがって結果リストに順序付けること、
をさらに含む請求項２３に記載の方法。
【請求項２５】
前記リスト表示が、ネットワーク情報プロバイダのウェブサイトの説明を含む請求項２３記載の方法。
【請求項２６】
前記リスト表示が、ネットワーク情報プロバイダのウェブサイトに対応するユニフォーム・リソース・ロケータ（ＵＲＬ）を含む請求項２３に記載の方法。
【請求項２７】
前記所定の表示期間が日を含む請求項２１に記載の方法。
【請求項２８】
ネットワーク情報プロバイダが入札するのを助ける入札ツールを与えることをさらに含む請求項２１に記載の方法。
【請求項２９】
前記入札ツールが、入札するための前記ネットワーク情報プロバイダに対する見積もり値を計算する請求項２８に記載の方法。
【請求項３０】
前記ネットワーク情報プロバイダに対する計算された見積もり値により定められた検索語及び定められたランクの入札を受け入れること、
をさらに含む請求項２９に記載の方法。
【請求項３１】
前記計算が、前記ネットワーク情報プロバイダにより入力された値を考慮する請求項２９に記載の方法。
【請求項３２】
前記値が、予想されるインプレッション当たりの値、訪問の基準値、行われている第１の動作の値、又は行われている第２の動作の値のうちの少なくとも１つを含む請求項３１に記載の方法。
【請求項３３】
前記計算が、前記所定の表示期間における前記検索リスト表示の前記ランクに対する見積もられたクリック数を考慮する請求項３１に記載の方法。
【請求項３４】
第２のオークションにおいて、第１のオークションの終了後に残っているランクをオークションにかけることをさらに含む請求項２１に記載の方法。
【請求項３５】
前記ランクをオークションにかけることが、代替的な所定の表示期間においてオークションにかけることを含む請求項３４に記載の方法。
【請求項３６】
現在のオークションベースのランキング及び前記所定の表示期間と同じ長さの後続するオークションベースのランキングにおいて定められた検索語及び定められたランクの入札を受け入れること、
をさらに含む請求項２１に記載の方法。
【請求項３７】
前記ランクが連続してオークションされる請求項２１に記載の方法。
【請求項３８】
前記ランクの少なくとも一部が同時にオークションされる請求項２１に記載の方法。
【請求項３９】
オークションされたランクの前記落札者が入札額に基づく請求項２１に記載の方法。
【請求項４０】
前記所定の表示期間の間保証される各ランクは、異なる所定の表示期間において、他のオークションに利用可能である、請求項１に記載の方法。
【請求項４１】
前記所定の表示期間の間保証される各ランクは、異なる所定の表示期間において、他のオークションに利用可能である、請求項２１に記載の方法。
【請求項４２】
前記第１の動作は、前記検索者による、前記ネットワーク情報プロバイダのウェブサイトの特定の領域のナビゲーションを含み、前記第２の動作は、前記検索者による、前記ネットワーク情報プロバイダのウェブサイトからの品物の購入を含む、請求項１５に記載の方法。
【請求項４３】
前記予想されるインプレッション当たりの値が、前記オークションにかけられたランクにおいて観測されるブランディング値を含む、請求項１５に記載の方法。
【請求項４４】
前記訪問の前記基準値が、ビジネス関係の将来的な確率の値を含む、請求項１５に記載の方法。
【請求項４５】
前記第１の動作は、前記検索者による、前記ネットワーク情報プロバイダのウェブサイトの特定の領域のナビゲーションを含み、前記第２の動作は、前記検索者による、前記ネットワーク情報プロバイダのウェブサイトからの品物の購入を含む、請求項３２に記載の方法。
【請求項４６】
前記予想されるインプレッション当たりの値は、前記オークションにかけられたランクにおいて観測されるブランディング値を含む、請求項３２に記載の方法。
【請求項４７】
前記訪問の前記基準値が、ビジネス関係の将来的な可能性の値を含む、請求項３２に記載の方法。